(57)【特許請求の範囲】
【請求項１】
装置が第１の姿勢で設置された場合と、第１の姿勢と水平方向に対する傾きが異なる第２の姿勢で設置された場合のいずれの場合でも画像形成が可能な画像形成装置であって、
加熱回転体の周面に加圧部材を押圧して定着ニップを形成し、当該定着ニップに通紙される記録シート上のトナー像を熱定着する定着手段と、
前記加熱回転体の表面温度を非接触で検出する温度検出手段と、
前記加熱回転体を加熱する加熱手段と、
前記温度検出手段の検出結果に基づき、加熱手段を制御して加熱回転体の温度を制御する制御手段とを備え、
前記温度検出手段は、
非接触型の温度センサーと、
装置が第１の姿勢にあるときと、第２の姿勢にあるときとで、前記加熱回転体の表面温度の検出誤差が所定の範囲内となるように、第１と第２の姿勢の変更に応じて加熱回転体に対する温度測定位置を第１と第２の測定位置に変更する変更手段を備え、
前記変更手段は、
装置の第１の姿勢から第２の姿勢への変更に伴い、前記温度センサーを、前記第１の測定位置から、第２の測定位置まで移動する移動手段を備え、
前記移動手段は、
前記温度センサーを、前記第１の測定位置から前記第２の測定位置まで移動可能に保持する保持部材と、
筺体の側面であって、第２の姿勢に変更したときに床面に対向する側面から、外方に進退可能に突出する突出部材と、
装置を前記第２の姿勢に姿勢変更する際に、前記突出部材が床面に当接して前記筺体内に後退するときの移動を、前記温度センサーが前記第１の測定位置から前記第２の測定位置に移動する動作に変換して前記保持部材に伝達するリンク機構と、
を備えることを特徴とする画像形成装置。
【請求項２】
装置を前記第２の姿勢から前記第１の姿勢に姿勢変更する際に、前記突出部材が前記筐体内から突出することにより、前記温度センサーが前記第２の測定位置から前記第１の測定位置に移動することを特徴とする請求項１に記載の画像形成装置。
【請求項３】
前記温度センサーによる検出値を補正するための補正テーブルであって、前記第１の姿勢および前記第２の姿勢に共通の補正テーブルを記憶する記憶部を更に備え、
前記第１の姿勢および前記第２の姿勢のそれぞれにおいて、前記記憶部に記憶された補正テーブルを読み出し、前記加熱回転体の表面温度を推定することを特徴とする請求項１または２に記載の画像形成装置。
【発明の詳細な説明】
【技術分野】
【０００１】
本発明は、設置姿勢が変更可能な画像形成装置に関し、特に、当該画像形成装置における定着器内の温度検出に関する。
【背景技術】
【０００２】
通常、プリンターなどの画像形成装置は、給紙トレイのシート載置面が略水平状態となるような姿勢（横置き姿勢）で使用される。その方が、給紙トレイに積載された記録シートが撓むことなく円滑に給紙できるからである。
しかし、例えば、一般家庭で使用するような場合には、設置スペースにそれほど余裕がないため、画像形成装置を縦置きにして使用できれば便利である。
【０００３】
そこで、近年では、設置スペースに応じ、横置き・縦置きのいずれでも使用が可能な画像形成装置が提案されている（例えば、特許文献１）。
【先行技術文献】
【特許文献】
【０００４】
【特許文献１】特開平８−３１４３３３号公報
【発明の概要】
【発明が解決しようとする課題】
【０００５】
しかしながら、特に、電子写真方式の画像形成装置において、これを縦置きにして使用すると、以下に示すように、その定着器における定着ローラーなどの加熱回転体の温度を精度よく制御できないおそれがある。
一般に、加熱回転体の周面の温度は、当該周面を傷つけないように非接触状態で、かつ、周面に近接配置されたサーミスタなどの温度センサーによって検出されており、その検出結果に基づいて加熱回転体用のヒーターをＯＮ・ＯＦＦ制御することにより、当該加熱回転体周面が所定の温度に維持されるようになっている。
【０００６】
ところが、このような非接触型の温度センサーでは、主として加熱回転体と温度センサーとの間に介在する空気の自然対流に伴う熱伝導により温度を検出する構成となっているため、画像形成装置の設置姿勢を変更して、加熱回転体に対する温度センサーの相対的な位置を変化させると、加熱回転体と温度センサー間の対流状況も変化して、温度センサーの検出結果に差異が生じる。
【０００７】
そのため、横置き時において、温度センサーの検出結果に基づいて的確に加熱回転体の温度制御を行うように設計しても、縦置き姿勢にすると、必ずしも望ましい温度に制御することができないという問題が生じてしまう。
本発明は、上述のような問題に鑑みてなされたものであって、設置姿勢が変更可能な画像形成装置において、設置姿勢が変更されても、定着器における加熱回転体の表面温度を同等な精度で検出し、的確な温度制御が可能な画像形成装置を提供することを目的とする。
【課題を解決するための手段】
【０００８】
上記目的を達成するため、本発明に係る画像形成装置は、装置が第１の姿勢で設置された場合と、第１の姿勢と水平方向に対する傾きが異なる第２の姿勢で設置された場合のいずれの場合でも画像形成が可能な画像形成装置であって、加熱回転体の周面に加圧部材を押圧して定着ニップを形成し、当該定着ニップに通紙される記録シート上のトナー像を熱定着する定着手段と、前記加熱回転体の表面温度を非接触で検出する温度検出手段と、前記加熱回転体を加熱する加熱手段と、前記温度検出手段の検出結果に基づき、加熱手段を制御して加熱回転体の温度を制御する制御手段とを備え、前記温度検出手段は、非接触型の温度センサーと、装置が第１の姿勢にあるときと、第２の姿勢にあるときとで、前記加熱回転体の表面温度の検出誤差が所定の範囲内となるように、第１と第２の姿勢の変更に応じて加熱回転体に対する温度測定位置を第１と第２の測定位置に変更する変更手段を備え、前記変更手段は、装置の第１の姿勢から第２の姿勢への変更に伴い、前記温度センサーを、前記第１の測定位置から、第２の測定位置まで移動する移動手段を備え、前記移動手段は、前記温度センサーを、前記第１の測定位置から前記第２の測定位置まで移動可能に保持する保持部材と、筺体の側面であって、第２の姿勢に変更したときに床面に対向する側面から、外方に進退可能に突出する突出部材と、装置を前記第２の姿勢に姿勢変更する際に、前記突出部材が床面に当接して前記筺体内に後退するときの移動を、前記温度センサーが前記第１の測定位置から前記第２の測定位置に移動する動作に変換して前記保持部材に伝達するリンク機構とを備えることを特徴とする。
【０００９】
また、装置を前記第２の姿勢から前記第１の姿勢に姿勢変更する際に、前記突出部材が前記筐体内から突出することにより、前記温度センサーが前記第２の測定位置から前記第１の測定位置に移動することが望ましい。
【００１０】
ここで、前記温度センサーによる検出値を補正するための補正テーブルであって、前記第１の姿勢および前記第２の姿勢に共通の補正テーブルを記憶する記憶部を更に備え、前記第１の姿勢および前記第２の姿勢のそれぞれにおいて、前記記憶部に記憶された補正テーブルを読み出し、前記加熱回転体の表面温度を推定することとしてもよい。
【発明の効果】
【００１２】
上記構成により、装置の設置姿勢に応じて、前記加熱回転体の表面温度の検出誤差が所定の範囲内となるように、温度検出手段による加熱回転体に対する温度測定位置が第１と第２の測定位置に変更されるため、設置姿勢の如何にかかわらず、加熱回転体の表面温度をほぼ同等な精度で検出して、加熱回転体の表面温度を的確に制御することができる。
【図面の簡単な説明】
【００１３】
【図１】本発明の第１の実施の形態に係る画像形成装置が、横置き姿勢で設置されている状態を示す概略断面図である。
【図２】上記画像形成装置が、縦置き姿勢で設置されている状態を示す概略図である。
【図３】上記画像形成装置の制御部とこれの制御対象とを示すブロック図である。
【図４】上記制御部において実行される温調制御の実行手順を示すフローチャートである。
【図５】本発明の第２の実施の形態に係る画像形成装置が、横置き姿勢で設置されている状態を示す概略断面図である。
【図６】上記第２の実施の形態に係る画像形成装置における定着部周辺の構成を示す斜視図である。
【図７】本発明の第２の実施の形態に係る画像形成装置が、縦置き姿勢で設置されている状態を示す概略断面図である。
【図８】（ａ）および（ｂ）は、本発明の変形例に係る画像形成装置における定着部周辺の構成を示す側面図である。
【発明を実施するための形態】
【００１４】
（１）第１の実施の形態
以下、本発明の第１の実施形態に係る画像形成装置について、図面を参照しながら説明する。
（１−１）画像形成装置の構成
図１は、本発明の第１の実施形態に係る画像形成装置の一例であるモノクロのプリンターの構成を説明するための概略断面図である。
【００１５】
プリンター１は、ほぼ直方体状の筐体２を有しており、この筐体２の最も面積が大きい面２ａを下向きにして給紙トレイ２１が水平に近い状態で設置する姿勢（以下、「横置き姿勢」という。）と、この面２ａに直交すると共に、面２ａよりも面積が小さい面２ｂを下向きにして設置する姿勢（以下、「縦置き姿勢」という。）との間で択一的に設置可能な構成となっており、図１では、横置き姿勢の状態を示している。
【００１６】
つまり、ユーザーは、プリンター１の設置姿勢として、通常、横置き姿勢を選択し、また、設置スペースが限られている場合には、縦置き姿勢を選択することができる。
プリンター１は、矢印Ａで示す方向に回転駆動される円筒状の感光体ドラム１２を有している。
この感光体ドラム１２の周囲には、電子写真方式によってトナー画像を記録シート上に形成するための帯電器１４、光学部１５、現像器１６、転写ローラー１７が、感光体ドラム１２の回転方向（同図の反時計回り）に沿って、この順番で配設されている。
【００１７】
このプリンター１では、制御部５０において、外部機器から入力される画像データがレーザダイオードの駆動信号に変換され、その駆動信号によって、光学部１５に設けられたレーザダイオードが駆動される。
これにより、光学部１５からは画像データに応じたレーザ光Ｌが感光体ドラム１２の表面に照射される。
【００１８】
感光体ドラム１２の表面は、予め帯電器１４によって所定電位に帯電されており、光学部１５から照射されるレーザ光Ｌが露光されることより、感光体ドラム１２の表面上に静電潜像が形成される。この静電潜像は、現像器１６において、トナーによって現像されトナー像が形成される。
感光体ドラム１２の下方には、給紙部２０が設けられており、当該給紙部２０は、用紙、ＯＨＰシート等の複数枚の記録シートＳが積載状態で収容された給紙トレイ２１とピックアップローラー２５などからなる。
【００１９】
ピックアップローラー２５によって、給紙トレイ２１内の複数の記録シートＳのうちの最上位にあるものが１枚ずつ繰り出されて感光体ドラム１２に向けて搬送経路２６に送り出される。
なお、給紙トレイ２１の昇降板２２ａは、カム機構などの不図示の駆動機構により昇降する構成となっており、記録シートＳを搬送経路２６に繰り出す際に上昇して、最上位の記録シートをピックアップローラー２５に押し当てる。
【００２０】
矢印Ｂ方向に回転する転写ローラー１７が、感光体ドラム１２の周面に圧接した状態で配されており、これにより転写ニップ２７が形成される。搬送経路２６を通過した記録シートＳは、転写ニップ２７内に搬送される。
記録シートＳが転写ニップ２７を通過する間に、転写ローラー１７に印加された転写電圧によって発生する転写電界の作用により、感光体ドラム１２上に担持されたトナー像が記録シートＳ上に転写される。
【００２１】
トナー像が記録シートＳに転写された後の感光体ドラム１２の表面は、不図示のクリーニングブレードなどによってクリーニングされる。
一方、トナー画像が転写された記録シートＳは、定着部３０へ搬送される。
定着部３０は、並行配置された定着ローラー３１および加圧ローラー３２を有しており、定着ローラー３１と加圧ローラー３２間で定着ニップが形成される。
【００２２】
また、定着ローラー３１には、制御部５０によって温調制御されるヒーター３３（ハロゲンランプ）が内蔵されており、これにより定着ローラー３１が加熱される。
さらに、定着部３０には、定着ローラー３１の長手方向（紙面奥行方向）の中央部に、横置き姿勢で設置されたときに使用する温調制御用の第１温度センサー３４と、縦置き姿勢で設置されたときに使用する温調制御用の第２温度センサー３５とが、定着ローラー３１の周方向の異なる位置であって、かつ、定着ローラー３１と接触しない位置に設けられている。この周方向の位置の違いについては後述する。
【００２３】
ここで、第１温度センサー３４および第２温度センサー３５は、サーミスタや熱電対などの比較的安価ないわゆる熱型の温度検出素子であり、本実施の形態では、ＮＴＣサーミスタを用いている。
記録シートＳに転写された未定着のトナー像は、定着ニップを通過する間に、定着ローラー３１によって所定の温度で加熱・加圧されて、記録シートＳに定着される。
【００２４】
定着ニップを通過した記録シートＳは、定着ローラー３１および加圧ローラー３２によって排紙ローラー４０へ搬送され、排紙ローラー４０によって排紙トレイ４１上に排出される。
なお、排紙トレイ４１の下流側には、着脱式の延長トレイ４１ａが装着されており、記録シートＳが大サイズであっても、先端が垂れ下がらないようになっている。
【００２５】
また、プリンター１は、プリンター１の設置姿勢を検出する姿勢検出部５１を備えている。
本実施の形態では、姿勢検出部５１として、横置き姿勢において筐体２の底面となる面２ａにプッシュスイッチを配しており、面２ａから外方に突出しているアクチュエーター５１ａが設置面と当接して押し上げられることにより、現在横置き姿勢であることを示す信号を制御部５０に出力するものである。
【００２６】
制御部５０は、プリンター１の各部を統括的に制御してプリントジョブを円滑に実行させる。その制御の一環として、プリンター１の設置姿勢に応じて、第１温度センサー３４および第２温度センサー３５のうち、温調制御に用いる温度センサーとして適切なものを選択して定着ローラー３１の表面温度を計測しつつ、ヒーター３３をＯＮ・ＯＦＦ制御して、目標温度に維持する温調制御を実行する。詳しくは、後述する。
【００２７】
図２は、プリンター１の縦置き姿勢の状態を示す概略断面図であり、筐体２の面２ｂが下向きとなるように載置されている。
ユーザーは、プリンター１を縦置き姿勢で設置する際、給紙トレイ２１を、支軸２２を中心に矢印Ｃ方向に揺動させる。
これにより、給紙トレイ２１の載置面２１ａが、鉛直方向から少し傾斜してやや上向きとなり、記録シートＳを給紙トレイ２１に立て掛けるようにして載置することが可能となる。
【００２８】
また、給紙トレイ２１の幅方向（紙面奥行方向）両端には、１対のガイド板２１ｂが設けられており、記録シートＳの幅方向における側縁を揃えて案内する共に、縦置き姿勢における給紙トレイ２１の外側への揺動により筐体２との間に生じた隙間を塞いで、記録シートＳが脱落しないように構成されている。
ここで、ピックアップローラー２５およびこれに連結された不図示の駆動源は、給紙トレイ２１と一体となって揺動する構成となっており、プリンター１の設置姿勢が変更されても、ピックアップ時において、ピックアップローラー２５が最上位の記録シートＳに接触可能な構成となっている。
【００２９】
また、ユーザーは、プリンター１を縦置き姿勢で設置する際、同図に示すように、延長トレイ４１ａ（図１参照）を取り外し、別の延長トレイ４２を筐体２に取着する。
これにより、鉛直方向から少し傾いたやや上向きの載置面４２ａが形成されるため、排紙された記録シートＳを積載していくことができる。なお、延長トレイ４１ａを、縦置きの際にも使用できるような形状に設計しておけば、別途延長トレイ４２を備える必要がなくなり、備品のコストを低減することができる。
【００３０】
本実施の形態における第１、第２温度センサー３４、３５は、それぞれ温度検出感度が高い部分（以下、「感熱部」という。）３４ａおよび３５ａを有しており、このうち第１温度センサー３４は、その感熱部３４ａが、横置き姿勢となっている時に、定着ローラー３１の軸心を通る鉛直線上であって、かつ、定着ローラー３１の幅方向の中央部の上方（以下、単に、「ローラー中央真上の位置」という。）に配されている（図１参照）。
【００３１】
一方、第２温度センサー３５は、その感熱部３５ａが、図２に示すように、縦置き姿勢となっている時に、ローラー中央真上の位置にくるように配されている。
なお、定着ローラー３１表面から感熱部３４ａまでの最小距離Ｄ１と、定着ローラー３１表面から感熱部３５ａまでの最小距離Ｄ２（図１参照）は、いずれも２．３［ｍｍ］±０．３［ｍｍ］となるように設定されている。
【００３２】
このＤ１およびＤ２の値は、組み付け誤差等に起因する感熱部３４ａおよび感熱部３５ａと定着ローラー３１の表面との接触を防止して、当該表面に傷などが生じないようにしつつ、定着ローラー３１との表面温度を精度よく検出することができるように設定された値である。
（１−２）制御部の構成
図３は、プリンター１における制御部５０の構成と、これの制御対象となる主構成要素との関係を示す図である。
【００３３】
制御部５０は、主な構成要素として、ＣＰＵ１５０、通信インターフェース（Ｉ／Ｆ）部１５１、ＲＡＭ１５２、ＲＯＭ１５３、ＥＥＰＲＯＭ１５４、補正テーブル記憶部１５５を備えている。
通信Ｉ／Ｆ部１５１は、ＬＡＮカード、ＬＡＮボードといったＬＡＮに接続するためのインターフェースである。
【００３４】
ＲＡＭ（Random Access Memory）１５２は、揮発性のメモリーであって、ＣＰＵ１５０におけるプログラム実行時のワークエリアとなる。
ＲＯＭ（Read Only Memory）１５３には、プリントの実行に関連する制御を行うための制御プログラムなどが格納されている。
ＥＥＰＲＯＭ（Electronically Erasable and Programmable Read Only Memory）１５４は、不揮発性のメモリーであって、ＣＰＵ１５０のデータ保存エリアとなる。
【００３５】
補正テーブル記憶部１５５は、ＥＥＰＲＯＭからなり、後述の温調制御に用いる補正テーブルを記憶している。
ＣＰＵ（Central Processing Unit）１５０は、ＲＯＭ１５３に格納されている制御プログラムを実行することにより、ウォーミングアップやプリントの実行などを実施する。
その際、ＣＰＵ１５０は、姿勢検出部５１、定着部３０の第１温度センサー３４および第２温度センサー３５から出力される信号にもとづき、定着ローラー３１内に設けられたヒーター３３をＯＮ・ＯＦＦして、定着ローラー３１を目標温度に調整する以下のような温調制御を実施する。
【００３６】
（１−３）温調制御の内容
以下、第１の実施の形態に係る、制御部５０における定着ローラー３１の温調制御について、図４のフローチャートに基づき説明する。
ＣＰＵ１５０は、定着ローラー３１を温調の開始のタイミングとなるまで待機し（ステップＳ１１：ＮＯ）、プリンター１の電源投入直後や、プリントジョブを受け付けた場合などに、温調開始のタイミングであると判定し（ステップＳ１１：ＹＥＳ）、姿勢検出部５１（図１）の出力信号を現在のプリンター１の設置姿勢に関する情報として取得する（ステップＳ１２）。
【００３７】
当該情報によりプリンター１の載置状態が横置き姿勢となっていると判定された場合には（ステップＳ１３：ＹＥＳ）、第１温度センサー３４および第２温度センサー３５のうち、第１温度センサー３４を温調制御用の温度センサーとして選択する（ステップＳ１４）。
そして、ＣＰＵ１５０は、選択された第１温度センサー３４の検出値と補正テーブル記憶部１５５に格納された補正テーブルを用いて、定着ローラー３１の表面温度を推定する（ステップＳ１６）。
【００３８】
上述のように第１温度センサー３４は、非接触型であるため、その検出値と実際の定着ローラー３１の表面温度そのものを示すものではない。そこで、あらかじめ、横置き姿勢の状態で実際の定着ローラー３１の表面温度の検出値と第１温度センサー３４の検出値を実験により取得して、第１温度センサー３４の検出値ごとに、それらを実際の定着ローラー３１の表面温度に換算するための補正係数を求めておき、当該第１温度センサー３４の検出値と補正係数を対応させた補正テーブルを作成し、これを補正テーブル記憶部１５５に格納している。
【００３９】
このようにして求められた定着ローラー３１の表面温度ｔ１が、目標温度ｔ０より低い場合には（ステップＳ１７：ＹＥＳ）、ヒーター３３をＯＮ状態にして（ステップＳ１６）定着ローラー３１を加熱し、表面温度ｔ１が、目標温度ｔ０より高い場合には（ステップＳ１７：ＮＯ）、ヒーター３３をＯＦＦ状態にする（ステップＳ１９）。
そして、温調終了か否かを判定する（ステップＳ２０）。例えば、プリントジョブが終了したとき、もしくは、プリントジョブが終了してから所定の待機時間が経過したときに、ＣＰＵ１５０により温調終了と判定される。
【００４０】
温調終了でないと判定された場合には（ステップＳ２０：ＮＯ）、上記ステップＳ１６〜Ｓ１９までの動作が繰り返し実行される。
温調終了であると判定された場合には（ステップＳ２０：ＹＥＳ）、そのときのヒーター３３の状態を確認し、ＯＮ状態であれば、ＯＦＦ状態にした後（ステップＳ２１）、温調制御を終了する。
【００４１】
また、プリンター１の載置状態が縦置き姿勢となっている場合（ステップＳ１３：ＮＯ）、第２温度センサー３５を温調制御用の温度センサーとして選択し（ステップＳ１５）、選択された温度センサーの検出値と補正テーブル記憶部１５５に記憶された補正テーブルを用いて、定着ローラー３１の表面温度を推定する（ステップＳ１６）。
この補正テーブルは、第１温度センサー３４による温度推定の場合と同じ補正テーブルを使用することができる。縦置き姿勢の際における第２温度センサー３５の感熱部３５ａは、横置き姿勢における第１温度センサー３４の感熱部３４ａと同じく、定着ローラー３１の直上に位置し、定着ローラー３１の周面からの距離も同じに設定されているからである。
【００４２】
これにより、補正テーブルを横置き姿勢、縦置き姿勢のぞれぞれの場合について作成する必要がなく、それだけ補正テーブルを保持するための記憶容量を節約することができる。
なお、第１温度センサー３４および第２温度センサー３５は、上述のように、自然対流に伴う熱伝導により加熱されており、自然対流の下では、空気が下方から上方に向かって流れるので、温度センサーの配設位置が、定着ローラー３１の直上の位置から周方向に逸れると、温度センサーの感熱部の位置が対流の本流から外れてしまい熱伝導量が減少すると共に、対流も不安定になるおそれがある。
【００４３】
本実施の形態に係るプリンター１では、設置姿勢に応じて選択された温度センサーの感熱部は、ローラー中央真上に位置するので、これにより、当該温度センサーは、対流が盛んで熱伝導量が多い位置で温度検出を行うことができるので、安定した温度計測が可能となる。
（２）第２の実施形態
（２−１）画像形成装置の構成
以下、本発明の第２の実施形態に係る画像形成装置の一例であるプリンターについて、図面を参照しながら説明する。
【００４４】
第２の実施形態に係るプリンターの構成は、基本的に上記第１の実施形態に係るプリンター１と共通するが、第２の実施の形態に係るプリンター２００では、姿勢検出部５１が備えられていない点、および、定着ローラー３１の温調制御用の温度センサーとして、定着ローラー３１の外周面に沿って１個しかなく、これを移動可能に保持している点がプリンター１とは異なる。
【００４５】
以下では、共通の構成部分には第１の実施形態と同じ符号を付して、その説明は省略し、相違する点を中心に説明する。
図５は、第２の実施形態に係るプリンター２００の定着部３０における要部構成を示す部分概略断面図である。同図では、プリンター２００を横置き姿勢で設置した状態を示している。
【００４６】
同図に示すように、定着ローラー３１の温度検出用として、１個の温度センサー３６が支持機構１３０に支持されてなる。
この温度センサー３６は、第１の実施の形態における第１温度センサー３４および第２温度センサー３５と同様、サーミスタや熱電対などの主に熱伝導によって温度を検出する比較的安価な熱型の温度検出素子である。
【００４７】
図６は、温度センサー３６の支持機構１３０を説明するための斜視図である。
同図に示すように、支持機構１３０は、定着ローラー３１と並行に配された支持部材１３１を、その両端部を９０°折り曲げてなる側板部１３１ａ、１３１ｂを介して、定着ローラー３１の回転軸３１ａに回転自在に軸支されている。
温度センサー３６は、定着ローラー３１の回転軸方向に沿って設けられた支持部材１３１の長手方向の中央部に固定されている。
【００４８】
そして、側板部１３１ａの上記軸支位置から少し離れた位置に突設されたピン１３１ｃを介してロッド１３２の端部が軸支され、ロッド１３２と支持部材１３１とでリンク機構が構成される。
ロッド１３２は、側板部１３１ａに軸支されている端部とは反対側の端部１３２ａが、筐体２の面２ｂに設けられた貫通孔２ｃから外方に突出している。
【００４９】
さらに、ロッド１３２と筐体２の面２ｂ側との間に、引張ばね１３３が留め掛けられており、これによりロッド１３２は、貫通孔２ｃから外方に突出するように付勢される。
ロッド１３２の途中には、鍔状のストッパー部１３２ｂが設けられており、当該ストッパー部１３２ｂが、筐体２の内側に当接することにより、ロッド１３２の外側の端部１３２ａの突出量が規制される。
【００５０】
横置き姿勢の状態で、ロッド１３２がこの位置で停止することにより、図５に示すように支持部材１３１に固定された温度センサー３６の感熱部３６ａが、丁度定着ローラー３１のローラー中央真上の位置に存するようになっている。
ここで、プリンター２００の設置姿勢を横置きから図７に示すように縦置きに変更すると、面２ｂ側が筐体２の底面となるため、ロッド１３２の面２ｂから外側に突出している端部１３２ａが載置面に当接し、引張ばね１３３の付勢力に抗して矢印Ｄで示す方向に押し込まれる。
【００５１】
これにより、支持部材１３１は、矢印Ｅで示す方向に揺動すると共に、これに保持された温度センサー３６が定着ローラー３１の外周面に沿って移動することとなる。
そして、プリンター２００を縦置き姿勢で設置した状態で、温度センサー３６の感熱部３６ａが、ローラー中央真上の位置に移動するように、支持機構１３０の各部材の寸法、軸支位置が設定されている。
【００５２】
なお、本実施の形態でも定着ローラー３１表面から温度センサー３６の感熱部３６ａまでの最小距離は、いずれの設置姿勢であっても、第１の実施の形態と同様に、２．３［ｍｍ］±０．３［ｍｍ］に設定されている。
このような構成にすることにより、第２の実施の形態に係るプリンター２００では、横置き姿勢および縦置き姿勢のそれぞれにおいて、温度センサー３６の感熱部３６ａを、対流が盛んで熱伝導量が多いローラー中央真上の位置に配することができるので、定着ローラー３１の表面温度をより反映した温度検出が可能であり精度が高くなる。
【００５３】
また、各設置姿勢間において、ローラー中央真上の位置における感熱部３６ａ周辺の熱伝導の条件が略等しくなるため、各姿勢共通の補正テーブルを用いて、定着ローラー３１の表面温度を精度よく推定することができる。
これにより、第１の実施の形態と同様に、補正テーブルを格納する補正テーブル記憶部１５５の記憶容量の節約が可能となる。
【００５４】
なお、プリンター２００を縦置き姿勢から横置き姿勢に戻した場合、ロッド１３２は、設置面から離れて装置内部に押し込まれる力が解除され、引張ばね１３３の作用によって筐体２から飛び出す。
これより、支持部材１３１が矢印Ｆ方向に戻り、これに固定された温度センサー３６も二点鎖線で示す位置に復帰する。
【００５５】
以上のように、第２の実施形態では、プリンター２００の設置姿勢に応じて、温度センサー３６の感熱部３６ａが、熱伝導が盛んに行われるローラー中央真上に位置変更されるので、温度検出が安定的に行われると共に、各設置姿勢間における感熱部３６ａ周辺の熱伝導条件が略等しいため、各姿勢共通の補正テーブルを用いて定着ローラー３１の表面温度をより正確に推定することができる。
＜変形例＞
本発明は、上述のような実施の形態に限られるものではなく、次のような変形例も実施することができる。
【００５６】
（１）上記第１および第２の実施の形態では、プリンターの各設置姿勢において、温調制御用の温度センサーの感熱部の位置が、ローラー中央真上の位置に存していたが、これに限らない。
図８（ａ）および（ｂ）は、本変形例に係る支持機構２３０の構成を示す図である。
このうち図８（ａ）は、プリンターを横置き姿勢で設置しているときの支持機構２３０の状態を示す図であり、また、図８（ｂ）は、プリンターを縦置き姿勢で設置しているときの支持機構２３０の状態を示す図である。
【００５７】
変形例に係る支持機構２３０の構成は、基本的に上記第２の実施形態に係る支持機構１３０と共通するが、温度センサー３６の定着ローラー３１に対する位置および姿勢変更時における揺動角度が異なる点が支持機構１３０とは異なる。
支持機構２３０では、横置き姿勢において、図８（ａ）に示すように、定着ローラー３１の幅方向の中央部において、これの軸心を通る鉛直線から同図の時計方向に角度θ１傾いた位置Ｐ１に温度センサー３６の感熱部３６ａが位置し、また、縦置き姿勢において、図８（ｂ）に示すように、定着ローラー３１の幅方向の中央部において、これの軸心を通る鉛直線から同図の時計方向に角度θ２傾いた位置Ｐ２に温度センサー３６の感熱部３６ａが位置しているものとすると、角度θ１と角度θ２の値が略等しくなるように設定されている。
【００５８】
このようにすれば、横置き姿勢および縦置き姿勢における感熱部３６ａは、各姿勢においてローラー中央真上からの相対的位置が同じになる。
このため、プリンターの設置姿勢の如何によらず感熱部３６ａ周辺の自然対流の状況は略同様となり、熱伝導の条件も略等しくなるため、１つの補正テーブルを用いて、定着ローラー３１の表面温度を精度よく推定することができる。
【００５９】
また、これと同じ考え方にもとづき、第１の実施形態に係る定着部３０のように、各設置姿勢に対応する温度センサーを各１個設ける構成では、第１温度センサー３４の感熱部３４ａおよび第２温度センサー３５の感熱部３５ａを、それぞれ上述の位置Ｐ１およびＰ２の位置に設けることで、上記変形例と同様に、各姿勢共通の補正テーブルを用いて、定着ローラー３１の表面温度を精度よく推定することができる。
【００６０】
なお、θ１とθ２は必ずしも完全に等しくなくてもよく。両者に多少の差があっても、一方の設置姿勢における検出値の、他方の設置姿勢における検出値に対する誤差が、所定範囲内（本実施の形態では、＋−１５［％］以内としている。）となるような角度差内に収まればよい。この場合には、共通の補正テーブルを用いて温度制御しても、ほとんど精度上の問題が生じないと解されるからである。
【００６１】
また、θ１とθ２は、あまり大きいと自然対流を利用しての定着ローラー３１の表面温度の検出精度が劣化してしまうので、共に９０°未満であり、望ましくは４５°未満がよい。
（２）上記実施の形態では、横姿勢の場合における第１の温度センサー３４の出力から実際の定着ローラー３１の表面温度を推定するための補正係数を格納した補正テーブルを補正テーブル記憶部１５５内に格納していた。
【００６２】
しかし、定着ローラー３１の温度検出の精度をさらに向上させるため、きめ細かい補正テーブルを作成してもよい。
厳密に言えば、温度センサーは、定着ローラー３１の表面から対流などの熱伝導より伝わる熱と、定着部３０のハウジング内の温度（以下、「雰囲気温度」という。）の双方に影響されて検出値を出力する。
【００６３】
したがって、温調開始時の定着部３０の雰囲気温度によって、実際の定着ローラー３１の表面温度と温度センサーの検出結果との誤差も微妙に変化することになる。
つまり、雰囲気温度が低いと、温度センサーは、定着ローラー３１の表面温度を反映しやすいが、雰囲気温度が高くなるとその温度の温度センサーの検出値に対する影響も大きくなり、補正係数の修正が必要となる。
【００６４】
そこで、たとえば、上記の温調制御用に主に定着ローラー３１表面温度を検出する温度センサー（以下、「温調用温度センサー」という。）とは別に定着ローラー３１から離れた位置に主に雰囲気温度を検出するための温度センサー（以下、「雰囲気温度センサー」）を設けて、雰囲気温度ごとに補正係数を求めて補正テーブルを作成して、補正テーブル記憶部１５５に格納しておき、温調制御時には、まず、雰囲気温度センサーの検出値に基づき、補正テーブルを選択して、温調用温度センサーの検出値を当該選択した補正テーブルで補正するようにすることにより、定着ローラー３１の表面温度をより正確に推定することができる。
【００６５】
このように、それぞれの設置姿勢における補正テーブルの種類が多くなると、それらの記憶に必要な記憶容量も多くなるが、上述のように本発明によれば、一方の設置姿勢における補正テーブルを他方の設置姿勢における補正テーブルと共通に使用できるので、記憶容量の節約の効果が大きい。
（３）上記第１の実施の形態では、プリンター１の設置姿勢を取得する取得手段として、姿勢検出部５１を用いたが、これに限られない。
【００６６】
例えば、プリンター１の操作パネル（不図示）あるいは他の適当な手動スイッチを受付手段として、ユーザーから設置姿勢の指定を受け付けてもよく、また、設置姿勢を検出する手段として上記のプッシュボタンなどのほか、傾きセンサーや加速度センサーなどを用いて重力加速度の作用する方向を検出することにより、プリンターの設置姿勢を検出してもよい。
【００６７】
（４）上記第１および第２の実施の形態では、定着ローラー３１は、これに内蔵されたヒーター３３によって加熱されていたが、これに限られない。
近年、定着ローラー内にヒーターを内蔵させるのではなく、ローラーの外径よりも僅かに内径が大きい発熱層を含む無端状の定着ベルトに当該ローラーを遊嵌し、当該定着ベルトの発熱層を誘導加熱する所謂ゆるばめ式の定着装置が考えられている。
【００６８】
本構成では、定着ベルトにおける外周の一部のみをローラーの外周面に接触させているため断熱効率が高く、ウォーミングアップ時間を短縮することができるというメリットがある。
当該ゆるばめ式の定着装置では、温度検出の対象は、定着ローラーではなく定着ベルトとなる。このように、温度検出の対象は、様々なものが考えられるため、加熱回転体であれば、どのようなものであっても構わない。
【００６９】
（５）上記第１および第２の実施の形態では、面２ａと面２ｂが直交するため、プリンターの縦置き姿勢は、横置き姿勢に対して９０°傾く状態となっているが、これに限られない。
例えば、面２ａと面２ｂとが成す角度が、９０°でない場合も考えられ、このような場合には、縦置き姿勢は、横置き姿勢に対して９０°以外の角度で傾いている。
【００７０】
第１の実施の形態において、このような状況が生じている場合には、感熱部３４ａおよび３５ａは、それぞれ横置き姿勢および縦置き姿勢おいて、ローラー中央真上に位置するように構成されることが望ましい。
同様に、第２の実施の形態では、各設置姿勢において、温度センサー１３４の感熱部３４ａが、ローラー中央真上に位置するように位置変更されることが望ましい。
【００７１】
（６）また、上記第１および第２の実施の形態では、定着ニップを形成するために、定着ローラーと加圧ローラーとを圧接させていたが、これに限らない。
例えば、加圧ローラーの代わりに、表面が低摩擦材料などで覆われた加圧パッドなどを定着ローラーに圧接させる構成としてもよく、要するに、定着ローラーを加圧する加圧部材としては、表面に適当な摺動性を有して加圧できるものであれば、どのようなものであってもよい。
【００７２】
（７）なお、上記実施の形態では、本発明に係る画像形成装置をモノクロ式プリンターに適用した場合の例を説明したが、これに限られず、タンデム型カラーデジタルプリンターに適用してもよく、要するに、設置姿勢が変更可能であって、加熱回転体を有する定着装置を備える画像形成装置一般に適用することができる。
また、上記実施の形態および上記変形例の内容をそれぞれ組み合わせるとしてもよい。
【産業上の利用可能性】
【００７３】
本発明は、設置姿勢が変更可能であって、加熱回転体の外周面に加圧部材を押圧して定着ニップを形成し、未定着画像の形成されたシートを当該定着ニップに通紙して熱定着する画像形成装置に広く適用することができる。
【符号の説明】
【００７４】
１    プリンター
２    筐体
１２    感光体ドラム
１４    帯電器
１５    光学部
１６    現像器
１７    転写ローラー
２０    給紙部
２１    給紙トレイ
２２ａ  昇降板
２５    ピックアップローラー
３０    定着部
３１    定着ローラー
３１ａ  回転軸
３２    加圧ローラー
３３    ヒーター
３４    第１温度センサー
３４ａ  感熱部
３５    第２温度センサー
３５ａ  感熱部
４０    排紙ローラー
５０    制御部
５１    姿勢検出部
５１ａ  アクチュエーター
１３０    プリンター
１３０    定着部
１３１    支持部材
１３１ａ、１３１ｂ  側板部
１３２    ロッド
１３２ｂ  ストッパー部
１３４    温度センサー
１３４ａ  感熱部
【図１】
0005692158.tif 000002
【図２】
0005692158.tif 000003
【図３】
0005692158.tif 000004
【図４】
0005692158.tif 000005
【図５】
0005692158.tif 000006
【図６】
0005692158.tif 000007
【図７】
0005692158.tif 000008
【図８】
0005692158.tif 000009